(57)【特許請求の範囲】
【請求項１】
トナーを貯蔵するトナー貯蔵部と、このトナー貯蔵部にトナーを補給するための開口部と、この開口部を開閉する開閉蓋と、を有し、画像形成装置本体から引き出されたトナー補給位置にて開口部からトナー補給を行うトナー補給容器がセットされる現像装置において、
トナー補給容器がセットされるとトナー補給位置から画像形成装置本体内へ挿入する方向への現像装置の移動を阻止するロック位置へ移動し、トナー補給容器が取外されるとトナー補給位置から画像形成装置本体内へ挿入する方向への現像装置の移動を許容する非ロック位置へ移動するロック手段を有することを特徴とする現像装置。
【請求項２】
前記ロック手段は前記開口部を閉じた状態の前記開閉蓋をロックする手段を有することを特徴とする請求項１に記載の現像装置。
【請求項３】
前記トナー補給容器をセットするとき前記現像装置がロックされてから前記開閉蓋のロックが解除され、前記トナー補給容器を取外すとき前記開閉蓋がロックされてから前記現像装置のロックを解除することを特徴とする請求項２に記載の現像装置。
【請求項４】
画像形成装置本体から引き出されたトナー補給位置にてトナー補給容器の着脱を許容し、トナー補給位置から画像形成装置本体内へ挿入する方向への移動を阻止するロック手段を備えた現像装置にトナー補給を行うトナー補給容器において、
トナー補給容器のセットに伴いロック手段をロック位置へ移動させるための作動部を有し、この作動部を斜面部としたことを特徴とするトナー補給容器。
【請求項５】
前記トナー補給容器は前記現像装置の引出し方向とは逆方向の装着動作としての動きを有し、この動き方向について前記トナー補給容器の先端側に前記作動部を設けたことを特徴とする請求項４に記載のトナー補給容器。
【発明の詳細な説明】
【０００１】
【発明の属する技術分野】
本発明は、複写機、ファクシミリ、プリンター等の電子写真画像形成装置に使用される現像装置及びトナー補給容器に関するものである。
【０００２】
ここで、電子写真画像形成装置とは、電子写真画像形成方式を用いて記録媒体に画像を形成するものである。そして、画像形成装置の例としては、例えば電子写真複写機、電子写真プリンタ（例えばレーザービームプリンタ、ＬＥＤプリンタ等）、ファクシミリ装置及びワードプロセッサ等が含まれる。
【０００３】
【従来の技術】
複写機、プリンタ等の画像形成装置で、感光体などの潜像担持体上に作像した静電潜像をトナー像として可視像化するものが現像装置であるが、このうちトナーカートリッジなどのトナー補給容器を接続してトナー貯蔵部にトナーを補充する構成のものでは、装置本体の現像剤が消費された場合には、トナー補給容器を用いて画像形成装置本体へトナーを補給することが行われている。
【０００４】
このトナー補給容器は、従来箱状の容器本体にフランジ部を一体的に設け、フランジ部に可橈性フィルムを熱溶着等の手段により剥離可能に接着したトナー補給容器が広く実用されている。また使用済みの前記トナー補給容器の内部に少量残留したトナーがこぼれて飛散するのを防止するため、さらにシャッターを追加し、これによって再封可能なトナー容器も提案、実用されている（特開平４−３３６５６５号公報）。
【０００５】
一方複写機等の本体側において、前記トナー補給容器からトナー補給を受けるトナーホッパー又は現像装置についても、トナー飛散、汚れ防止及び異種トナーの入れ間違い防止のためシャッター部材（以下ホッパー蓋とする）を設けたものがある（特開平４−３３６５６５号公報）。
【０００６】
次に図１６、図１７を用いてトナー補給容器２０１の補給手順を説明する。なおこの図ではロック機構やポップアップ機構については省略してある。
【０００７】
図１６はトナー補給容器２０１をホッパー２０６に装着・開封しトナーを補給しているところを示す断面図、図１７は開封時の手前側の状況を示す斜視図である。図中２０３ｃはシャッター下２０３の下面に設けた突起部、２０７ｄはホッパー蓋２０７の先端部の係合面、２０７ｅはホッパー蓋２０７の二つの把手部、２１１はトナーをそれぞれ示す。
【０００８】
まずトナー補給容器２０１をホッパー２０６に装着する。このとき始めにトナー補給容器の奥側（図中左側）を下に下げてホッパーの第一のロック機構（不図示）へ挿入し、次いでこの部分を回転中心としてトナー補給容器２０１を図中の時計回りに回転するようにしてトナー補給容器の手前側（図中右側）を第二のロック機構（不図示）へ装着する。こうして第一及び第二のロック機構がともに動作し、ホッパー蓋２０７が引き出し可能な状態になるとともに、トナー補給容器２０１がホッパー２０６から取り外し不可にロックされる。
【０００９】
次にシールフィルム２０４の折り返し部２０４ｂを持って手前側（図１６中右側、矢印の方向）に引っ張る。するとシールフィルム２０４の接着部２０４ａが引き剥されると同時に、シールフィルム２０４を巻きつけたシャッター上２０２及びこれに一体的に結合されたシャッター下２０３が従動して引き出される。さらにシャッター下２０３の下面に設けた突起部２０３ｃとホッパー蓋２０７の先端部の係合面２０７ｄが係合することでホッパー蓋２０７も引き出される。すなわちシールフィルム２０４を引き出すという動作で、シールフィルム２０４の引き剥しとシャッター上２０２、シャッター下２０３及びホッパー蓋２０７を同時に開封することになり、トナー補給容器２０１に収容されていたトナー２１１はホッパー２０６へと排出される。
【００１０】
こうして全開に開封した状態では、シールフィルム２０４の折り返し部２０４ｂはシャッター上２０２とシャッター下２０３の間から外へ引き出され、トナーが付着しているシールフィルム２０４の接着部２０４ａはシャッター上２０２とシャッター下２０３の間に収容される。このためシールフィルム２０４に付着したトナーがホッパー蓋２０７の上面に転移してこれを汚すことはなく、かつオペレーターはトナーが付着して汚れたシールフィルム接着部２０４ａを見ることがない。
【００１１】
ここで図１７に示すようにシールフィルム２０４の幅は、接着部２０４ａにおいてはトナー補給容器２０１のトナー排出口の幅よりも広い幅Ｗ１となっているが、外へ引き出される折り返し部２０４ｂではＷ１よりも狭い幅Ｗ２となっている。この幅Ｗ２はホッパー蓋２０７の引き出し方向と垂直な方向に離間して設けられた二つの把手部２０７ｅの間を通り得る幅である。
【００１２】
トナー排出が終了したらホッパー蓋２０７の二つの把手部２０７ｅを手で押して（図１７の矢印）ホッパー蓋２０７を閉じる。このときシールフィルム２０４は二つの把手部２０７ｅの間を通り、シャッター上２０２とシャッター下２０３との間に引き込まれて行く。また前記シャッター下２０３の下面に設けた突起部２０３ｃとホッパー蓋２０７の先端部の係合面２０７ｄが係合しているので、ホッパー蓋２０７とシャッター上２０２及びシャッター下２０３は一体的に移動して閉じられる。
【００１３】
ホッパー蓋２０７を完全に閉じると前記のように第二のロック機構が動作してトナー補給容器２０１がロック解除されて取り外し可能となると同時に、ポップアップ機構（持上げ機構）（不図示）によりトナー補給容器２０１は奥側の第一のロック機構付近を回転中心として図中反時計回りに回転するように所定の距離だけ持ち上がる。さらにトナー補給容器２０１が第二のロック機構から離脱すると、第二のロック機構によりホッパー蓋２０７は引き出し不可にロックされる。
【００１４】
以上説明したように、トナー補給容器２０１をホッパー２０６に装着すると直ちに取り外し不可にロックされ、開封・排出後にホッパー蓋２０７をロック解除位置まで押し込むと取り外し可能となる。またホッパー蓋２０７は通常は引き出し不可にロックされていてトナー補給容器２０１を装着すると引き出し可能となり、トナー補給容器２０１を外すと再び引き出し不可にロックされる。
【００１５】
ポップアップ機構（不図示）により奥側の第一のロック機構付近を回転中心として図中反時計回りに回転するように所定の距離だけ持ち上がったトナー補給容器２０１はホッパー部から取り外され、現像装置は画像形成装置本体内の所定位置に挿入される。
【００１６】
【発明が解決しようとする課題】
しかしながら上記従来例において、トナー補給終了後にホッパー蓋を閉める際、ホッパー蓋の閉める方向と現像装置の挿入方向が同じであるため現像装置が挿入方向に移動する恐れがある。
【００１７】
現像装置がトナー補給位置より画像形成装置本体への挿入方向に移動した場合、トナー補給容器が画像形成装置本体の一部と干渉して現像装置から取り外す際に前記ポップアップ機構によってトナー補給容器を所定量持ち上げることができなくなって操作性が悪化してしまう。
【００１８】
この問題を解決する手段としてホッパー蓋の閉める方向と現像装置の挿入方向を異なる方向にすることが考えられるが、装置の省スペース化、補給時の操作性を考えた場合に構成できない場合が生じる。
【００１９】
またホッパー蓋の閉める方向と画像形成装置への現像装置の挿入方向が同じである場合には、操作者がホッパー蓋を閉める際に現像装置が挿入方向に移動することを懸念してトナー補給容器の上部を手によって固定して操作する場合がある。
【００２０】
この場合も前記ポップアップ機構がトナー補給容器を所定量持ちあげることができなくなって操作性が悪化してしまう。
【００２１】
本発明の目的は、トナー補給後にホッパー蓋を閉める方向と現像装置の画像形成装置本体への挿入方向が同じであってもトナー補給容器の現像装置からの取り外し操作性を悪化させることのない現像装置及びトナー補給容器を提供することである。
【００２２】
【課題を解決するための手段】
代表的な本発明を請求項に対応して請求項と同番号を付して示せば以下のとおりである。
【００２３】
本出願に係る第１の発明はトナーを貯蔵するトナー貯蔵部と、このトナー貯蔵部にトナーを補給するための開口部と、この開口部を開閉する開閉蓋と、を有し、画像形成装置本体から引き出されたトナー補給位置にて開口部からトナー補給を行うトナー補給容器がセットされる現像装置において、
トナー補給容器がセットされるとトナー補給位置から画像形成装置本体内へ挿入する方向への現像装置の移動を阻止するロック位置へ移動し、トナー補給容器が取外されるとトナー補給位置から画像形成装置本体内へ挿入する方向への現像装置の移動を許容する非ロック位置へ移動するロック手段を有することを特徴とする現像装置である。
【００２５】
本出願に係る第４の発明は画像形成装置本体から引き出されたトナー補給位置にてトナー補給容器の着脱を許容し、トナー補給位置から画像形成装置本体内へ挿入する方向への移動を阻止するロック手段を備えた現像装置にトナー補給を行うトナー補給容器において、
トナー補給容器のセットに伴いロック手段をロック位置へ移動させるための作動部を有し、この作動部を斜面部としたことを特徴とするトナー補給容器である。
【００２６】
【発明の実施の形態】
（実施の形態１）
以下にこの発明の実施の形態を図面を用いて説明する。
【００２７】
［画像形成装置の全体構成］
図１はこの発明に係る現像装置を適用し得る電子写真画像形成装置の例として電子写真複写機を示すものである。
【００２８】
上記複写機における複写動作は、次のようにして行われる。すなわち、プラテンガラス１上に載置された原稿２は、光源３によって照射され、原稿２からの反射光像は、ミラー４，５，６，７，８，９及びレンズ１０を介して電子写真感光体としての感光体ドラム１１上に走査露光される。この感光体ドラム１１は、予め帯電器１２によって一様に帯電された後、上記の如く原稿２の画像が露光され、感光体ドラム１上には、静電潜像が形成される。この静電潜像は、現像装置１３によって現像されてトナー像となる。
【００２９】
上記現像装置１３によって現像されたトナー像は、複数配設された給紙カセット１５，１６，１７，１８，１９のいづれかより供給される所定サイズの記録媒体である転写用紙２０上に、転写コロトロン２１の帯電によって転写される。上記トナー像が転写された転写用紙２０は分離コロトロン２２の帯電によって感光体ドラム１１から分離された後、定着器２３に搬送されて、トナー像が転写用紙２０上に定着される。このトナー像が定着された転写用紙２０は、通常の複写モードではそのまま、排出トレイ２４上に排出される。
【００３０】
ところが、上記両面複写、片面多重複写のモードにおいては、トナー像が定着された転写用紙２０は、そのまま排出されずに搬送路２５及び中間トレイ２６を介して、そのままあるいは表裏が裏返されて再度画像形成部へと搬送され、所定のトナー像の転写が行われるようになっている。このような所定画像の転写及び定着が繰り返された後、転写用紙２０は、始めて排出トレイ２４上に排出される。
【００３１】
この実施の形態では、複写機全体の小型化を実現するため、現像装置の小型化に設計されている。そのため、現像装置１３は、現像装置と別個にトナーボックスを備えておらず、現像装置本体の背面側にトナーボックスを一体的に備えている。
【００３２】
［現像装置の構成］
図２はこの発明に係る現像装置を示している。現像装置１３は、上記の如く現像装置本体２７の一側に被トナー補給部であるトナー貯蔵部としてのトナーボックス２８を一体的に備えている。このトナーボックス２８の内部には、アジテータ２９が回転可能に配置され、アジテータ２９によって撹拌されたトナーを所定の方向に搬送し、現像装置本体２７内へ供給するように構成されている。
【００３３】
上記トナーボックス２８の上端には、トナーを補給するための開口部３１が設けられており、この開口部３１は、図２に示すように、通常はホッパー蓋３２によって塞がれている。また、上記開口部３１の両側には、トナーを補給する際、後述するトナー補給容器の係止脚を係合するための係合溝３３がトナーボックス２８の幅方向に沿って設けられている。
【００３４】
そして、上記現像装置１３にトナーを補給するには、このトナーボックス２８上にトナー補給容器を装着してトナーを補給するようになっている。
【００３５】
［トナー補給操作］
次にトナー補給時の操作方法について図３〜図９を用いて説明をする。従来例のトナー補給容器の構成は、この実施の形態にもそのまま、採用されている。従って、操作に伴うシールフィルム、シャッター、ホッパー蓋の開封及びその復元作用は従来と同様である。
【００３６】
図３はトナー補給容器の略構成を示している。同図において、３５はトナー補給容器本体、３６はシールフィルムを引出すためにシールフィルム端部に固定したシール把手、３８は係止脚、３９はロック作用リブ、４０は第２ロック解除突起を示している。
【００３７】
図４は現像装置１３のトナー補給容器のセットされる部分の略構成を示している。同図において、３２はホッパー蓋、３３はトナー補給容器の係止脚３８を係合するための係合溝、３４は現像装置１３を画像形成装置１００内から引出し操作用把手、５０は現像装置１３のハウジング、５１は前記ハウジング５０に形成され後述する移動ロック部材の収容部、５２は収容部５１に形成された開口、５３は第２ロック機構を示している。
【００３８】
トナーを補給する際は、画像形成装置１００に図５に示すように、下線を水平な枢軸のヒンジで枢着された前扉１０１を開き、現像装置１３を引出し可能にするレバー９９を矢印Ａ方向に回転させてから手Ｈで現像装置１３の把手３４をつまんで矢印Ｂ方向に引くことによって画像形成装置１００内からトナー補給位置に現像装置１３を引出す。現像装置１３は不図示のガイドによって案内されながら引出されるが、トナー補給位置まで引出されると不図示ストッパーが作用して現像装置１３が不図示のガイドから抜けて画像形成装置１００から抜け落ちることを防止されている。
【００３９】
図６に示すように、トナー補給位置に引出された現像装置１３の所定位置にトナー補給容器本体３５を係止脚３８を現像装置１３の係合溝３３にあうように矢印Ｃ方向に移動させてセットする。この時、後述する移動ロック機構によって現像装置１３は画像形成装置１００への挿入方向の移動ができないようになっている。
【００４０】
トナー補給容器本体３５の現像装置１３へのセットが完了すると、ホッパー蓋３２を図７の矢印Ｄ方向に引きトナー補給容器本体３５からシール把手３６が出てくるまで確実に引出す。
【００４１】
そして図８に示すようにトナー補給容器本体３５から出てきたシール把手３６を持ち、矢印Ｅ方向にシールフィルム３７上に設けたＳＴＯＰマークＳがあらわれるまでシールフィルム３７を引出すことによってトナー補給容器本体３５内のトナーをシールしていたシールフィルム３７が剥されてトナーが現像装置１３のトナーボックス２８内に補給される。
【００４２】
次にトナー補給容器本体３５の上部を軽くたたき、容器内部に残ったトナーをトナーボックス２８内に落としてからホッパー蓋３２を矢印Ｆ方向にトナー補給容器本体３５が不図示持上げ機構によってセット位置で持上げられるまで押し込む（図９参照）。この際、後述する移動ロック機構がセットされていてホッパー蓋３２につられて現像装置１３が画像形成装置本体側へ戻されるということがない。
【００４３】
不図示の持上げ機構により持上げられたトナー補給容器本体３５を現像装置１３へのセット位置から取外す。この時、後述する移動ロック機構が解除されて現像装置１３は画像形成装置１００への挿入方向の移動が可能になる。
【００４４】
トナー補給容器本体３５を現像装置１３へのセット位置から取外してから現像装置１３を押込んで画像形成装置１００内にセットし、レバー９９を図５の矢印Ａ方向と逆方向に回転させてから前扉１０１を閉める。
【００４５】
［第２ロック機構］
図１０〜図１２は現像装置１３の引出し方向手前側でトナー補給容器本体３５及びホッパー蓋３２をロックする第２ロック機構５３を示している。なお、この第２ロック機構は後述する移動ロック機構のホッパー蓋のロック機構とは独立したロック機構である。図１０〜図１２において、５４は後述する回転軸５６中心に回転自在に支持されトナー補給容器を補給開始位置でロックするロック爪、５５はロック爪５４に固定されて後述する回転軸５６中心に回転自在に支持されたホッパー蓋のロック爪、５６は現像装置１３のハウジング５０に固定されたロック爪５４及び５５の回転軸、５７は現像装置１３のハウジング５０に固定された弾性部材（板ばね）であってロック爪５５に形成された凸部５８に接してロック爪５５を押し上げている。５９はホッパー蓋３２のスリットを示している。
【００４６】
図１０において、弾性部材（板ばね）５７によって凸部５８を押され図中反時計方向に付勢されたロック爪５５はホッパー蓋３２のスリット５９と係合し、ホッパー蓋３２を引出し不可にロックしている。
【００４７】
トナー補給容器本体３５を矢印Ｐ方向から装着すると、第二のロック解除突起４０によってロック爪５５は、弾性部材（板ばね）５７に抗し、回転軸５６を中心に図１０に示す矢印Ｑ方向（図中時計回り）に回転し、第二のロック解除突起４０の平面部４０ａにロック爪５４が係合し、図１１に示すように、トナー補給容器本体３５を取り外し不可にロックする。
【００４８】
またロック爪５４の回転でこれに固定されたロック爪５５も同時に回転し、図１１に示すロック状態において、ロック爪５５とホッパー蓋３２のスリット５９との係合が解かれ、ホッパー蓋３２は矢印Ｒ方向に引き出し可能となる。
【００４９】
トナー補給容器を取り外す際は、図１２に示すように、ホッパー蓋３２を図１０の状態から更に図中左方向に押し込むことによって、ホッパー蓋３２のテーパ面６０がホッパー蓋ロック爪５５を押し、トナー補給容器ロック爪５４は弾性部材（板ばね）５７に抗して更に図１２に示す矢印Ｔ方向（図中時計回り）に回転し、ロック爪５４と第二のロック解除突起４０との係合が解かれ、不図示のポップアップ機構によってポップアップされてトナー補給容器本体３５が取り外し可能となる。トナー補給容器本体３５を取り外した後は、弾性部材（板ばね）５７の復元力によって、図１０の状態に復帰する。
【００５０】
［移動ロック手段］
次に本発明に係る現像装置１３の画像形成装置１００への挿入方向の移動を規制すると共にホッパー蓋のロック機構を備えた移動ロック機構について図１３〜図１５を用いて説明する。
【００５１】
図１３〜図１５において、７０は現像装置１３の移動ロック手段収容部５１の開口５２から外部へ出ることが可能な移動ロック部材、７１，７２は一端が移動ロック部材７０に他端が現像装置１３に設けた移動ロック機構の収容部５１の内壁に固定された圧縮ばね、７３は移動ロック部材７０を移動ロック位置から非ロック位置の間で案内する移動ロックガイド、７４，７５は一端が移動ロックガイド７３に他端が収容部５１の内壁に固定された圧縮ばね、７６（７６ａ，７６ｂ）は移動ロックガイド７３に形成されたホッパー蓋３２をロックする第１ロック爪、７７はトナー補給容器本体３５に形成された突起であるロック作用リブ３９（図１４、図１５参照）の侵入する開口部、７８（７８ａ，７８ｂ）はホッパー蓋３２に形成された第１ロック爪７６の係合穴、７９は移動ロック部材７０に形成された開口部７７上縁の斜面部、８０は移動ロック部材７０に形成された開口部７７のロック作用リブ３９のロック作用部、８１はロック作用リブ３９に形成された斜面部、８２はトナー補給容器本体３５に設けたロック作用リブ３９の解除作用部、８３，８４は移動ロック部材７０に形成された凸部、８５，８６は移動ロックガイド７３に形成された係合部であって、この係合部８５，８６と凸部８３，８４が係合する。１０２は画像形成装置１００に取付けられた本体ストッパを示している。
【００５２】
［トナー補給操作におけるロック作用］
トナー補給容器本体３５が現像装置１３の補給開始位置にセットされるまでは図１３に示すように移動ロックガイド７３は圧縮ばね７４，７５によってホッパー蓋３２の係合穴７８に第１ロック爪７６が係合する位置（第１ロック位置）に付勢されており、これによってホッパー蓋３２はロックされている。また移動ロック部材７０は圧縮ばね７１，７２の付勢力と移動ロックガイド７３によるガイドによって下降下限位置にあって端が開口５２内にあって、本体ストッパ１０２に重なることなく、本体ストッパ１０２の下方を現像装置１３が自在に出入り可能な非ロック位置に支持されている。
【００５３】
トナー補給容器本体３５の前記補給開始位置へのセットに伴ってトナー補給容器本体３５のロック作用リブ３９に形成された斜面部８１が開口部７７に侵入して開口部７７の斜面部７９を圧縮ばね７１，７２の付勢力に逆らって持上げることによって移動ロック部材７０は移動ロックガイド７３にガイドされながら非ロック位置（図１３参照）からロック位置まで移動して本体ストッパ１０２と重なる。これによって現像装置１３の画像形成装置１００への挿入方向の移動がロックされる（図１４参照）。一方、移動ロックガイド７３は圧縮ばね７４，７５によってホッパー蓋３２の係合穴７８に第１ロック爪７６が係合する位置（第１ロック位置）に付勢された状態であり、ホッパー蓋３２はロックされているままである。
【００５４】
トナー補給容器本体３５の前記補給開始位置へのセットに伴ってさらにロック作用リブ３９に形成された解除作用部８２が開口部７７の斜面部７９を、さらには斜面部７７端部のロック作用部８０（図１５参照）を圧縮ばね７１，７２の付勢力に逆らって持ちあげることによって移動ロック部材７０は移動ロックガイド７３にガイドされながらロック位置をさらに移動することで現像装置１３の画像形成装置１００への挿入方向の移動のロックは維持される。解除作用部８２がロック作用部８０を持ち上げることによって移動ロック部材７０の凸部８３，８４が移動ロックガイド７３の係合部８５，８６を圧縮ばね７１，７２の付勢力に逆らって持ち上げることによって移動ロックガイド７３は持ち上げられる。更に移動ロックガイド７３が持ち上げられることによってホッパー蓋３２の係合穴７８に係合していた第１ロック爪７６が係合する位置（第１ロック位置）からロック解除位置に移動してホッパー蓋３２の第１ロックは解除される（図１５参照）。
【００５５】
そして完全にセットされると、前述の第２ロック機構（図１０〜図１２）のホッパー蓋３２のロックも解除されホッパー蓋３２が引出し可能となる。
【００５６】
トナー補給容器本体３５が現像装置１３の補給開始位置から取外される場合には、ホッパー蓋３２が閉じられ、まず前述の第２ロック機構でトナー補給容器３５のセット位置ロックが解除されると共にホッパー蓋３２が閉位置でロックされ、そしてトナー補給容器３５のセット位置からの取外し動作に連動して図１５の状態からまず移動ロックガイド７３が圧縮ばね７４，７５の付勢力によってホッパー蓋３２の係合穴７８に第１ロック爪７６が係合する位置（第１ロック位置）に移動してホッパー蓋３２はロックされた（図１４）状態を経て図１３に示すホッパー蓋３２のロック状態及び現像装置１３の画像形成装置１００への挿入方向の移動のロックが解除された状態になる。
【００５７】
上述の構成をまとめると、移動ロック手段は、現像装置１３に設けられ画像形成装置本体に設けたストッパ１０２と係合して現像装置１３の画像形成装置本体への挿入を阻止する移動ロック部材７０と、
現像装置１３に設けられホッパー蓋３２と係合してホッパー蓋３２の移動を止めるロック爪７６を有し、移動ロック部材７０に対して相対移動する範囲と従動して前記ロック爪７６をホッパー蓋１２から離脱する従動範囲を有する移動ロックガイド７３と、を有する、
ここでトナー補給容器本体３５の装着動作で移動ロック部材７０に作用して移動ロック部材７０をロック位置へ移動し、更に移動ロック部材７０を移動することによって移動ロックガイド７３を移動ロック部材７０に従動させてホッパー蓋３２のロックを解除可能とするものである。
【００５８】
上述したように、トナーを現像装置へ補給後、ホッパー蓋を元へ戻す際、現像装置を装置本体へ収納するための移動方向の力が現像装置に加わるが、移動ロック部材が本体ストッパと係合しているので現像装置が移動することがない。そしてトナー補給容器を取り外すと移動ロック部材は本体ストッパと外れ、且つ、移動ロックガイドの第１ロック爪がホッパー蓋の係合穴に嵌合して閉じた状態のホッパー蓋をロックするので、そのまま現像装置を装置本体へ戻した状態でホッパー蓋は閉じたままである。
【００５９】
この実施の形態によれば使用者は片手で現像装置を移動しないように保持して残りの片手でホッパー蓋を挿入するという格別な操作をすることなく、トナー補給後にホッパー蓋を閉めても、ホッパー蓋と装置本体への挿入方向が同じ現像装置は移動しないので操作性のすぐれた現像装置を提供できた。
【００６１】
【発明の効果】
本出願に係る第１の発明によれば、トナー補給容器がセットされるとトナー補給位置から画像形成装置本体内へ挿入する方向への現像装置の移動を阻止するロック位置へ移動し、トナー補給容器が取外されるとトナー補給位置から画像形成装置本体内へ挿入する方向への現像装置の移動を許容する非ロック位置へ移動するロック手段を有することによって開閉蓋の閉める方向と画像形成装置本体への現像装置の挿入方向が同じである場合において現像装置が開閉蓋を閉める際にトナー補給操作により画像形成装置本体への挿入方向に移動してしまうこと、及びトナー補給容器が画像形成装置本体の一部と干渉して現像装置から取外す際に取外し操作性が悪化することを防止できる。よって、トナー補給容器による現像装置へのトナー補給の操作性が向上する。
【００６２】
本出願に係る第２の発明によれば、第１の発明において、ロック手段は開口部を閉じた状態の開閉蓋をロックする手段を有することによってそれぞれ独立したロック手段を設ける必要がなくなりコストダウンが可能となると共に簡単な構成でそれぞれのロック手段をトナー補給容器の補給位置へのセット動作と連動させることが可能になる。
【００６３】
本出願に係る第３の発明によれば、第２の発明において、トナー補給容器をセットするとき現像装置がロックされてから開閉蓋のロックが解除され、トナー補給容器を取外すとき開閉蓋がロックされてから現像装置のロックを解除することでトナー補給の操作性がより改善される。
【００６８】
本出願に係る第４の発明によれば、画像形成装置本体から引き出されたトナー補給位置にてトナー補給容器の着脱を許容し、トナー補給位置から画像形成装置本体内へ挿入する方向への移動を阻止するロック手段を備えた現像装置にトナー補給を行うトナー補給容器において、トナー補給容器のセットに伴いロック手段をロック位置へ移動させるための作動部を有し、この作動部を斜面部としたのでトナー補給容器のトナー補給位置へのセットにより簡単にロック手段を移動できる。かつ、トナー補給容器のコストは変わらない。
【００７０】
本出願に係る第５の発明によれば、第４の発明において、トナー補給容器の装着動作としての動きの方向の先端側に作動部を設けたので、トナー補給のためにトナー補給容器を開封する構成を変更する必要がない。
【図面の簡単な説明】
【図１】本発明が適用される画像形成装置の略縦断面図である。
【図２】本発明が適用される画像形成装置に使用される現像装置の縦断面図である。
【図３】本発明が適用されるトナー補給容器の斜視図である。
【図４】本発明が適用される画像形成装置に使用される現像装置の斜視図である。
【図５】本発明が適用される画像形成装置に使用される現像装置のトナー補給時の操作説明のための斜視図である。
【図６】本発明が適用される画像形成装置に使用される現像装置のトナー補給時の操作説明のための斜視図である。
【図７】本発明が適用される画像形成装置に使用される現像装置のトナー補給時の操作説明のための斜視図である。
【図８】本発明が適用される画像形成装置に使用される現像装置のトナー補給時の操作説明のための斜視図である。
【図９】本発明が適用される画像形成装置に使用される現像装置のトナー補給時の操作説明のための斜視図である。
【図１０】現像装置の第２ロック機構の側面図である。
【図１１】現像装置の第２ロック機構の側面図である。
【図１２】現像装置の第２ロック機構の側面図である。
【図１３】本発明の実施の形態の移動ロック手段の構成を示し、（ａ）は側面図、（ｂ）は正面図である。
【図１４】本発明の実施の形態の移動ロック手段の動作を示し、（ａ）は側面図、（ｂ）は正面図である。
【図１５】本発明の移動ロック手段の動作を示し、（ａ）は側面図、（ｂ）は正面図である。
【図１６】従来例の側断面図である。
【図１７】従来例の斜視図である。
【符号の説明】
Ｈ…手
１…プラテンガラス
２…原稿
３…光源
４…ミラー
５…ミラー
６…ミラー
７…ミラー
８…ミラー
９…ミラー
１０…レンズ
１１…感光体ドラム
１２…帯電器
１３…現像装置
１５…給紙カセット
１６…給紙カセット
１７…給紙カセット
１８…給紙カセット
１９…給紙カセット
２０…転写用紙
２１…転写コロトロン
２２…分離コロトロン
２３…定着器
２４…排出トレイ
２５…搬送路
２６…中間トレイ
２７…現像装置本体
２８…トナーボックス
２９…アジテータ
３１…開口部
３２…ホッパー蓋
３３…係合溝
３４…操作用把手
３５…トナー補給容器本体
３６…シール把手
３７…シールフィルム
３８…係止脚
３９…ロック作用リブ
４０…第２ロック解除突起  ４０ａ…平面部
５０…ハウジング
５１…移動ロック部材の収容部
５２…開口
５３…第２ロック機構
５４…トナー補給容器のロック爪
５５…ホッパー蓋ロック爪
５６…回転軸
５７…弾性部材（板ばね）
５８…凸部
５９…スリット
６０…テーパ面
７０…移動ロック部材
７１…圧縮ばね
７２…圧縮ばね
７３…移動ロックガイド
７４…圧縮ばね
７５…圧縮ばね
７６…第１ロック爪  ７６ａ，７６ｂ…第１ロック爪
７７…開口部
７８…係合穴  ７８ａ，７８ｂ…係合穴
７９…斜面部
８０…ロック作用部
８１…斜面部
８２…解除作用部
８３…凸部
８４…凸部
８５…係合部
８６…係合部
９９…レバー
１００…画像形成装置
１０１…前扉
１０２…本体ストッパ
２０１…トナー補給容器
２０２…シャッター上
２０３…シャッター下  ２０３ｃ…突起部
２０４…シールフィルム  ２０４ａ…接着部  ２０４ｂ…折り返し部
２０６…ホッパー
２０７…ホッパー蓋  ２０７ｄ…係合面  ２０７ｅ…把手部
２１１…トナー
【図１】
0003720608.tif 000002
【図２】
0003720608.tif 000003
【図３】
0003720608.tif 000004
【図４】
0003720608.tif 000005
【図５】
0003720608.tif 000006
【図６】
0003720608.tif 000007
【図７】
0003720608.tif 000008
【図８】
0003720608.tif 000009
【図９】
0003720608.tif 000010
【図１０】
0003720608.tif 000011
【図１１】
0003720608.tif 000012
【図１２】
0003720608.tif 000013
【図１３】
0003720608.tif 000014
【図１４】
0003720608.tif 000015
【図１５】
0003720608.tif 000016
【図１６】
0003720608.tif 000017
【図１７】
0003720608.tif 000018